(57)【要約】【課題】  使用者にとって分かり易い取扱説明書を与えることができる補聴器調整装置及びこれを用いて各種機能を設定すると共に、この分かり易い取扱説明書を備える補聴器を提供する。【解決手段】  補聴器２に各種機能を設定する補聴器調整装置１であって、使用者個々の機能を設定した補聴器２に関するカスタム取扱説明書７のデータを出力する。補聴器２の販売店などの連絡先のデータが、カスタム取扱説明書７のデータと一体となって出力される。カスタム取扱説明書７のデータは、プリンタ４により印刷される。また、カスタム取扱説明書７のデータは、ＣＤ−ＲＯＭやＵＳＢメモリなどの電子記憶媒体５に保存される。補聴器調整装置１により各種機能が設定された補聴器２は、補聴器調整装置１により出力されたカスタム取扱説明書７を備えている。【選択図】        図１
2011101136.tif 000002
【特許請求の範囲】
【請求項１】
補聴器に各種機能を設定する補聴器調整装置であって、使用者個々の機能を設定した補聴器に関する取扱説明書のデータを出力することを特徴とする補聴器調整装置。
【請求項２】
請求項１記載の補聴器調整装置において、前記補聴器の販売店などの連絡先のデータが、前記取扱説明書のデータと一体となって出力されることを特徴とする補聴器調整装置。
【請求項３】
請求項１又は２記載の補聴器調整装置において、前記取扱説明書のデータは、プリンタにより印刷されることを特徴とする補聴器調整装置。
【請求項４】
請求項１又は２記載の補聴器調整装置において、前記取扱説明書のデータは、ＣＤ−ＲＯＭやＵＳＢメモリなどの電子記憶媒体に保存されることを特徴とする補聴器調整装置。
【請求項５】
請求項１乃至請求項４のいずれかに記載の補聴器調整装置により各種機能が設定された補聴器であって、前記補聴器調整装置から出力された取扱説明書を備えていることを特徴とする補聴器。
【発明の詳細な説明】
【技術分野】
【０００１】
本発明は、補聴器に各種機能を設定する補聴器調整装置及びこれを用いて各種機能を設定した補聴器に関する。
【背景技術】
【０００２】
現在の補聴器は多機能な機種が多くなっている。これらの補聴器には使用者個々の使い勝手に応じて、各種機能を設定することができる。
例えば、デジタル補聴器では、音環境や使用環境に応じた各種機能の設定を複数のメモリに記憶させるメモリ機能がある。メモリの切り替えは、一つのプッシュスイッチを押すたびに順次切り替わる方式が多い。切り替わる際の報知音については、音の高低、音の大小、音のパターンや音色などのほか、鳴らないようにする設定もできる。また、各メモリは、ＯＮ／ＯＦＦの設定をすることで、使用者の必要に応じたメモリ数に設定することができる。
【０００３】
電池切れのアラーム音の設定もできる。音の高低、音の大小、音のパターンや音色などのほか、鳴らない設定もできる。また、デジタルボリュームの可変幅や初期値の設定もできる。デジタル補聴器のこれらの設定は、補聴器調整装置を用いて設定することができる。補聴器の設定をする際は、補聴器調整置は、調整の対象となる補聴器と有線又は無線により通信可能な状態で接続される。
【０００４】
オーダーメイド補聴器の場合、使用者が操作するためのスイッチやボリュームを配置するスペースが限られているので、注文の際にどちらかを選択しなければならない場合がある。
【発明の概要】
【発明が解決しようとする課題】
【０００５】
上記のように、現在の補聴器には多機能なものが市販されている。そして、その取扱説明書には全ての機能に関する説明が記載されている。従って、取扱説明書に記載される情報量は非常に多くなってしまう。しかし、使用者は自分が使用する機能を選択できることから、使用者によっては使用しない機能に関する情報も取扱説明書に記載されていることになる。各種機能、操作方法及び動作について全ての記載があるものの、具体的な操作方法及び動作は代表的な項目で説明される場合が多い。
【０００６】
例えば、使用者の使い勝手に応じてメモリ数を減らしてある場合、取扱説明書に最大メモリ数における操作方法及び動作が記載されていると、補聴器の設定によりメモリ数が異なる説明が記載されていても、使用者にとって自分の補聴器の取り扱い方が分かり難い場合がある。また、使用者の使い勝手に応じてアラームを鳴らさない設定にしている場合、取扱説明書に補聴器の設定によりアラーム音を消したり変えたりできる説明が記載されていても、代表的なアラームにおける操作方法及び動作が記載されていると、使用者にとって自分の補聴器の取り扱い方が分かり難い場合がある。
【０００７】
また、オーダーメイド補聴器の場合、スイッチやボリュームが使用者個々によって有ったり無かったりするので、取扱説明書に注文時の設定によりスイッチやボリュームが有ったり無かったりする説明が記載されていても、例えばスイッチだけがある場合の操作方法及び動作が記載されていると、使用者にとってはボリュームだけがある補聴器の取り扱い方が分かり難い場合がある。このため使用者が所有する補聴器の設定が取扱説明書の例示と異なる場合、使用者には操作方法が分かり難い場合がある。
【０００８】
本発明は、従来の技術が有するこのような問題点に鑑みてなされたものであり、その目的とするところは、使用者にとって分かり易い取扱説明書を与えることができる補聴器調整装置及びこれを用いて各種機能を設定すると共に、この分かり易い取扱説明書を備える補聴器を提供しようとするものである。
【課題を解決するための手段】
【０００９】
上記課題を解決すべく請求項１に係る発明は、補聴器に各種機能を設定する補聴器調整装置であって、使用者個々の機能を設定した補聴器に関する取扱説明書のデータを出力するものである。
【００１０】
また、前記補聴器の販売店などの連絡先のデータを、前記取扱説明書のデータと一体に出力することができる。
【００１１】
更に、取扱説明書のデータを、プリンタにより印刷することもできるし、ＣＤ−ＲＯＭやＵＳＢメモリなどの電子記憶媒体に保存することもできる。
【００１２】
請求項５に係る発明は、請求項１乃至請求項４のいずれかに記載の補聴器調整装置により各種機能が設定された補聴器であって、前記補聴器調整装置が出力した取扱説明書を備えているものである。
【発明の効果】
【００１３】
請求項１に係る発明によれば、使用者の特性に応じて補聴器を調整した際に、使用者個々にとって必要な情報が明確に記載された取扱説明書をその場で作成することができるので、店頭で補聴器の設定を変更した場合でも、使用者へ的確な取扱説明書を提供することができる。
また、工場出荷時に特定できない使用者個々にとっての各種機能の設定に対応した取扱説明書を使用者に提供することができるので、使用者が取扱説明書を見たときに、使用者が所有する補聴器に必要の無い操作方法や動作の記載を見る必要がなくなるため、操作方法が理解し易くなる。
【００１４】
また、補聴器の販売店などの連絡先のデータを、取扱説明書のデータと一体に出力すれば、取扱説明書と一体にして使用者に提供することができるので、使用者にとって便利な取扱説明書となる。
【００１５】
更に、取扱説明書のデータを、プリンタにより印刷することもできるし、ＣＤ−ＲＯＭやＵＳＢメモリなどの電子記憶媒体に保存することもできるので、使用者にとって使い勝手がよくなる。
【００１６】
請求項５に係る発明によれば、使用者にとって必要の無い操作方法や動作の記載を見る必要がなくなるため、操作方法が理解し易くなり、使い勝手が向上する。
【図面の簡単な説明】
【００１７】
【図１】本発明に係る補聴器調整装置と補聴器の説明図
【図２】付属の取扱説明書の記載例
【図３】カスタム取扱説明書の記載例
【発明を実施するための形態】
【００１８】
以下に本発明の実施の形態を添付図面に基づいて説明する。本発明に係る補聴器調整装置１と補聴器２は、図１に示すように、通信手段３を介して接続されている。通信手段３は有線でも無線でもよい。更に、補聴器調整装置１にはプリンタ４と電子記憶媒体５が接続されている。電子記憶媒体５にはＣＤ−ＲＯＭやＵＳＢメモリなどが採用される。
【００１９】
補聴器調整装置１は、補聴器調整用ソフトウェアをインストールされたパーソナルコンピュータ（ＰＣ）と、これに接続された通信用機器で構成される場合が多いが、1つの専用装置として構成してもよい。補聴器調整装置１には、取扱説明書の出力手段として、プリンタ４への印刷機能や電子記憶媒体５へのデータ保存機能がある。また、補聴器調整装置１には、使用者が補聴器２の操作方法が分からないときや補聴器２の調子が悪いときなどに問い合わせる連絡先のデータが記憶されている。
【００２０】
補聴器２には取扱説明書６が付属されている。この付属の取扱説明書6には、補聴器２の各種機能及びこれらの設定方法や操作方法の全てが記載されている。例えば、付属の取扱説明書6には、メモリ機能と電池アラームとデジタルボリュームについて、図２に示すように、記載されている。
【００２１】
工場出荷された補聴器２は、病院や店頭などで言語聴覚士や認定補聴器技能者などの専門家により使用者個々の聴こえ具合、嗜好、使用環境に応じて各種機能が補聴器調整装置１により設定される。例えば、メモリ機能の設定内容は、４つのメモリについて、第１メモリは会議（反響の多いところ）用、第２メモリは雑踏（うるさいところ）用、第３メモリは自宅（しずかなところ）用、第４メモリはＯＦＦにする。各メモリには、名前をつけることができる。
【００２２】
本例の場合、第１メモリを「会議」、第２メモリを「雑踏」、第３メモリを「自宅」と名付ける。電池アラームについての設定内容は、大きさをなしとするである。デジタルボリュームについての設定内容は、可変幅を１から１０の１０段階うち１から７の７段階を使い、初期値を４にする。
【００２３】
次いで、補聴器調整装置１に補聴器２が通信可能に接続され、使用者に合わせた設定が補聴器２に対して実行される。設定作業が終了したら、使用者個々の設定した機能や操作方法などの説明が記載されたカスタム取扱説明書７の印刷をプリンタ４で行う。このカスタム取扱説明書７には、図３に示すように、使用者の設定内容に特定した操作方法や動作などが記載されている。
【００２４】
図３に示す記載例の場合、第４メモリの存在と切り替え音に関する記載が削除されるので、誤解が生じ難くなる。更に、各メモリに使用者が希望する名前をつけることで、操作が理解し易くなる。また、電池アラームを「なし」に設定したので、電池アラームが鳴る場合の音の種類などを記載しないことで、誤解が生じ難くなる。
【００２５】
また、デジタルボリュームの可変幅と初期値について、設定変更した後の値を表示しているので、誤解が生じ難くなる。なお、メモリ切替用スイッチとデジタルボリュームのどちらかを選択しなければならない場合は、メモリ機能かデジタルボリュームのどちらか選択した方の機能のみを表示させる。
【００２６】
補聴器２に関する各種機能などの詳細な説明は、付属の取扱説明書６に記載されているので、使用者個々に設定した機能や操作方法を説明したカスタム取扱説明書７は、Ａ４サイズの用紙１枚程度にまとめるのが好ましい。
【００２７】
また、カスタム取扱説明書７には、補聴器２の操作方法が分からないときや補聴器２の調子が悪いときなどのために、使用者が問い合わせる連絡先が記載されている。更に、カスタム取扱説明書７のデータを印刷して使用者に提供するだけではなく、ＣＤ−ＲＯＭやＵＳＢメモリなどの電子記憶媒体５に保存して使用者に提供すれば、使用者は携帯電話などに保存しておくことができる。
【産業上の利用可能性】
【００２８】
本発明によれば、使用者にとって分かり易いカスタム取扱説明書を提供することができるし、使用者個々の設定した機能や操作方法を記載したカスタム取扱説明書により使用者にとって補聴器の使い勝手が向上する。
【符号の説明】
【００２９】
１…補聴器調整装置、２…補聴器、３…通信手段、４…プリンタ、５…電子記憶媒体、６…付属の取扱説明書、７…カスタム取扱説明書。
【図１】
2011101136.tif 000003
【図２】
2011101136.tif 000004
【図３】
2011101136.tif 000005